(57)【要約】【課題】ホース付き洗浄ノズルの使い勝手を良くし、使用しないときの納まりを良くし、施工現場での手間を削減でき、メンテナンスも容易にする。【解決手段】洗浄装置本体２から供給される洗浄液をホース３付き洗浄ノズル４を介して浴室内にスプレー塗布するための浴室洗浄装置１の収納構造である。浴槽５に着脱自在に取付けられる浴槽エプロン６を大小２以上に分割し、小エプロン６Ｂ内に、洗浄装置本体２を固定支持する本体固定支持部７と、洗浄ノズル４を取り外し自在に収納するノズル収納部８と、洗浄ノズル４と一体のホース３を繰り出し・巻き取り自在に収納するホース収納部９とをそれぞれ設けた。【選択図】図１
2009233069.tif 000002
【特許請求の範囲】
【請求項１】
洗浄装置本体から供給される洗浄液をホース付き洗浄ノズルを介して浴室内にスプレー塗布するための浴室洗浄装置の収納構造において、浴槽に着脱自在に取付けられる浴槽エプロンを大小２以上に分割し、小エプロン内に、上記洗浄装置本体を固定支持する本体固定支持部と、上記洗浄ノズルを取り外し自在に収納するノズル収納部と、上記洗浄ノズルと一体のホースを繰り出し・巻き取り自在に収納するホース収納部とをそれぞれ設けたことを特徴とする浴室洗浄装置の収納構造。
【請求項２】
上記ノズル収納部に収納された洗浄ノズルを検知するノズル検知手段と、洗浄ノズルが検知されたときにホース内の残留洗浄液を無くすように洗浄装置本体に設けた洗浄液吐出用ポンプを一定時間逆回転運転させるための制御回路とを備えていることを特徴とする請求項１記載の浴室洗浄装置の収納構造。
【発明の詳細な説明】
【技術分野】
【０００１】
本発明は、浴室洗浄装置の収納構造に関するものである。
【背景技術】
【０００２】
従来、浴槽に取り付けたミストノズルから汚れに対して浸透力を有した微細気泡を含む洗浄液を浴槽内面全体に均一に分散・拡散させて、汚れを浮かせて洗浄効果を高めるようにした浴室洗浄装置が一般に知られている（例えば、特許文献１参照）。
【０００３】
また他例として、例えば図６〜図８に示すように、浴槽５の外壁面に、微細気泡入り洗浄液を発生させる洗浄液タンク１４やポンプの洗浄装置本体２で構成される浴室洗浄装置１を設置すると共に、浴槽フランジ５ａに設けた開口孔２０に対して下方から洗浄液吐出管を接続し、洗浄ノズル４のホース３の先端を開口孔２０の上方からキャップ２１を取り外して差し込むようにした構造がある。
【０００４】
ところが、上記従来例では、ホース３付き洗浄ノズル４は後付け仕様であり、使用する際に浴槽フランジ５ａの開口孔２０のキャップ２１を取り外し、ホース３付き洗浄ノズル４を取り付けるのに手間がかかり、使い勝手が悪いという問題がある。また、浴室洗浄を行なわないときは、図７に示すように、ホース３付き洗浄ノズル４を浴槽フランジ５ａの開口孔２０から取り外し、ホース３を巻き取り状態にしてタオルハンガー２２に取り付けたＳ字フック２３に引っ掛ける方式としているため、見栄えが悪く、すっきりとした外観が得られず、しかも浴槽フランジ５ａのキャップ２１は、通常の入浴中も、浴槽フランジ５ａから飛び出しているため見た目が悪く、一方、風呂蓋２５は、図８に示すように、キャップ２１を避けるための切欠部分２６を設けた専用の風呂蓋を用いる必要がある。そのうえ、施工現場では、開口孔２０を浴槽フランジ５ａに穴あけ加工したり、浴槽５の外壁面に洗浄装置本体２を固定するための壁面加工を行なう必要があり、施工に手間がかかるものとなり、さらにメンテナンス時に洗浄装置本体２の取り外しに手間がかかるといった問題もある。
【０００５】
さらに従来では、洗浄ノズル４のホース３を巻き取って収納する際にホース３内の洗浄液が垂れ落ちないように逆止弁などの開閉バルブを用いて、ホース３内の流路を閉鎖するようにしている。このため、ホース３内に洗浄液が残留し、再度の使用時に、スプレー塗布の開始から微細気泡の存在しない洗浄液が吐出するようになり、微細気泡による洗浄効果が得られないという弊害もあった。
【特許文献１】特開２００７−２９８４９号公報
【発明の開示】
【発明が解決しようとする課題】
【０００６】
本発明は上記の従来の問題点に鑑みて発明したものであって、その課題とするところは、ホース付き洗浄ノズルの使い勝手が良くなると共に使用しないときの納まりが良くなり、さらに、施工現場での手間を削減でき、そのうえメンテナンスも容易な浴室洗浄装置の収納構造を提供することにある。
【課題を解決するための手段】
【０００７】
前記の課題を解決するために、本発明は、洗浄装置本体２から供給される洗浄液をホース３付き洗浄ノズル４を介して浴室内にスプレー塗布するための浴室洗浄装置の収納構造において、浴槽５に着脱自在に取付けられる浴槽エプロン６を大小２以上に分割し、小エプロン６Ｂ内に、上記洗浄装置本体２を固定支持する本体固定支持部７と、上記洗浄ノズル４を取り外し自在に収納するノズル収納部８と、上記洗浄ノズル４と一体のホース３を繰り出し・巻き取り自在に収納するホース収納部９とをそれぞれ設けたことを特徴としている。
【０００８】
このような構成とすることで、ホース３付き洗浄ノズル４を使用するときは、小エプロン６Ｂのノズル収納部８から洗浄ノズル４を引き出すとホース３が繰り出されて、洗浄ノズル４を取り外して使用できるので、使い勝手がきわめてよくなると共に、洗浄ノズル４を使わないときは小エプロン６Ｂのノズル収納部８に収納し且つホース３をホース収納部９に巻き取り状態で収納できるので、ホース３付き洗浄ノズル４を洗浄装置本体２と共に小エプロン６Ｂ内に見栄え良く収納できるようになる。さらに施工現場では、従来のような浴槽フランジ５ａへの穴あけ加工や、浴槽５の外壁面に洗浄装置本体２を固定するための壁面加工を行なう必要がなくなる。
【０００９】
また、上記ノズル収納部８に収納された洗浄ノズル４を検知するノズル検知手段１０と、洗浄ノズル４が検知されたときにホース３内の残留洗浄液を無くすように洗浄装置本体２に設けた洗浄液吐出用ポンプ１２を一定時間逆回転運転させるための制御回路１１とを備えているのが好ましく、この場合、洗浄ノズル４を収納したときには洗浄液吐出用ポンプ１２が一定時間逆回転運転されてホース３内に洗浄液が残留することがなくなるので、例えば洗浄装置本体２から供給される洗浄液が微細気泡を混合させたものにあっては、再度の使用時に、スプレー塗布の開始から微細気泡入り洗浄液を吐出させることが可能となり、微細気泡による洗浄効果が確実に得られるものである。
【発明の効果】
【００１０】
本発明は、浴槽エプロンを大小２以上に分割し、小エプロンを利用して浴室洗浄装置を収納することにより、ホース付き洗浄ノズルの使い勝手が良くなると共に使用しないときの納まりが良くなる効果が得られ、さらに、施工現場での浴槽フランジの穴あけ加工や浴槽の外壁面の壁面加工を行なう必要がなく、施工にかかる手間を削減でき、さらにメンテナンスも容易にできる効果が得られる。
【発明を実施するための最良の形態】
【００１１】
以下、本発明を添付図面に示す実施形態に基いて説明する。
【００１２】
浴槽５に着脱自在に取付けられる浴槽エプロン６は、図１、図２に示すように、大エプロン６Ａと小エプロン６Ｂとに大小２分割されている。なお、大エプロン６Ａ及び小エプロン６Ｂは、同じ取り付け構造とされる。例えば、小エプロン６Ｂの上部を浴槽フランジ５ａの下端凹所に差し込み、その後、小エプロン６Ｂの下部を防水パンの浴槽５と洗い場とを仕切る堰部上面に係止させるようにしている。勿論これは一例であり、浴槽５に対して着脱自在となる取付構造であればよい。
【００１３】
上記小エプロン６Ｂには、浴室洗浄装置１が取り付けられる。
【００１４】
浴室洗浄装置１は、洗浄液と空気とを混合して得られる微細気泡入り洗浄液を供給するための洗浄装置本体２と、供給される微細気泡入り洗浄液をスプレー塗布するためのホース３付き洗浄ノズル４とで構成されている。洗浄装置本体２は、図５に示すように、洗浄液を溜める洗浄液タンク１４と、洗浄液タンク１４からの洗浄液と外部から吸い込まれる空気とを混合して微細気泡入り洗浄液を発生させる気液混合部１３と、微細気泡入り洗浄液を加圧して吐出する洗浄液吐出用ポンプ１２とを備えている。
【００１５】
洗浄液としては、３０μｍ以下の微細気泡を含んだ洗浄液を使用するのが好ましい。非常に微細な気泡であるマイクロバブルによって浴槽５や浴室の隅々まで洗浄液が行き渡るようになると共に、ミクロンオーダの細かい汚れまで除去できるようになる。
【００１６】
上記小エプロン６Ｂ内には、洗浄装置本体２を固定支持する本体固定支持部７と、洗浄ノズル４を取り外し自在に収納するノズル収納部８と、洗浄ノズル４と一体のホース３を繰り出し・巻き取り自在に収納するホース収納部９と、洗浄液タンク１４内に洗浄液を供給するキャップ付き洗浄液投入口１６を収納するポケット孔とがそれぞれ設けられている。
【００１７】
本体固定支持部７は、小エプロン６Ｂの裏面の下部から後方（浴槽５側）に向かって突設された水平支持金具からなり、その上面に洗浄装置本体２を構成する機構部品が搭載されている。
【００１８】
ノズル収納部８は、洗い場側に向けて上下に細長く開口しており、洗い場側から洗浄ノズル４を手で引き出して使用できるようになっている。
【００１９】
ノズル収納部８の背後はホース収納部９となっており、一端が洗浄ノズル４に接続され他端が洗浄液吐出用ポンプ１２に接続されたホース３がスパイラル状態で収納されている。ホース３は例えば弛みを防止できるように一方向に回転付勢されたホースリール（図示せず）に巻き取られている。
【００２０】
しかして、浴室洗浄を行なうときは、洗い場側から小エプロン６Ｂに設けたノズル収納部８に手を入れて洗浄ノズル４を引き出すと、これと一体のホース３が繰り出されて、洗浄ノズル４を取り外し、ホース３を伸ばして浴室内のスプレー塗布を行なえるようになる。従って、従来のような浴槽フランジ５ａの開口孔のキャップを取り外したり、洗浄ノズル４を取り付けたりするという手間を省けるので、使い勝手がきわめてよくなる。なお洗浄ノズル４から微細気泡入り洗浄液を吐出、停止する操作は、例えば、浴室内に設置した操作パネル（図示せず）によって行なう。
【００２１】
また、上記洗浄ノズル４をノズル収納部８に戻すと、ホース３がホース収納部９内のホースリールの巻き取り付勢によってスパイラル状に巻き取られて、見栄え良く収納される。従って、従来のようにホース３付き洗浄ノズル４を収納する場所を浴室内に別途確保する必要もなくなり、浴室内をすっきりとした外観にすることができる。しかも、入浴中に目障りとなっていた従来の浴槽フランジに設けられるキャップを省略できてフランジ上面がすっきりとしたものとなり、一方、風呂蓋もキャップを避けるための切欠部分を備えた専用の風呂蓋を用いる必要もなくなる。
【００２２】
また、浴室洗浄装置１全体を小エプロン６Ｂに収納する構造なので、施工現場では、従来のような浴槽フランジ５ａへの穴あけ加工や、浴槽５の外壁面に洗浄装置本体２を固定するための壁面加工を行なう必要がなく、施工にかかる手間を削減でき、さらにメンテナンス時には小エプロン６Ｂを取り外すだけでよく、メンテナンス作業が容易にできる利点もある。
【００２３】
さらに本例では、小エプロン６Ｂのノズル収納部８に、図５に示すように、洗浄ノズル４を検知するノズル検知手段１０が設けられている。ノズル検知手段１０は例えばリミットスイッチ（或いはマイクロスイッチ）で構成されており、洗浄ノズル４をノズル収納部８から取り出したときにリミットスイッチがオン状態からオフ状態に切り替わる。洗浄ノズル４をノズル収納部８に戻すとリミットスイッチがオフ状態からオン状態に切り替わり、制御回路１１に洗浄液吐出用ポンプ１２を一定時間逆回転運転させるための指令信号が発信されるようになっている。制御回路１１からの指令信号に応じて洗浄液吐出用ポンプ１２が一定時間逆回転運転することで、ホース３内の残留洗浄液が吸引されて洗浄液タンク１４内に戻されるので、ホース３内に洗浄液が残留することがなくなり、再度の使用時に、スプレー塗布の開始から微細気泡入り洗浄液を吐出させることができ、微細気泡による洗浄効果が確実に得られる利点がある。
【００２４】
前記実施形態では、浴槽エプロン６を大エプロン６Ａと小エプロン６Ｂとに大小２分割した場合を例示したが、３分割以上でもよく、そのうちの１つの小エプロン６Ｂに浴室洗浄装置１を収納する機能を備えたものとすればよい。
【図面の簡単な説明】
【００２５】
【図１】本発明の一実施形態の浴槽エプロン付き浴槽における浴室洗浄装置の収納構造を説明する斜視図である。
【図２】同上の小エプロンを取り外した状態の分解斜視図である。
【図３】同上の取り外した小エプロンを斜め前方から見た斜視図である。
【図４】同上の取り外した小エプロンを図３と反対側の斜め前方から見た斜視図である。
【図５】同上の小エプロン内に収納された洗浄装置本体とホース付き洗浄ノズルの概略側面図である。
【図６】従来の浴室洗浄装置を構成する洗浄装置本体及びホース付き洗浄ノズルの取付構造の説明図である。
【図７】（ａ）は従来のホース付き洗浄ノズルの使用状態の説明図であり、（ｂ）はホース付き洗浄ノズルを取り外して浴室内に引っ掛けて収納する場合の説明図である。
【図８】（ａ）（ｂ）は従来のキャップを避けるための切欠部分を備えた風呂蓋の一例を説明する平面図である。
【符号の説明】
【００２６】
１  浴室洗浄装置
２  洗浄装置本体
３  ホース
４  洗浄ノズル
５  浴槽
６  浴槽エプロン
６Ｂ  小エプロン
７  本体固定支持部
８  ノズル収納部
９  ホース収納部
１０  ノズル検知手段
１１  制御回路
【図１】
2009233069.tif 000003
【図２】
2009233069.tif 000004
【図３】
2009233069.tif 000005
【図４】
2009233069.tif 000006
【図５】
2009233069.tif 000007
【図６】
2009233069.tif 000008
【図７】
2009233069.tif 000009
【図８】
2009233069.tif 000010